(57)【要約】  プルオン着用可能な物品は、外側カバーを包含する主要部分を包含し、主要部分は、前側腰部区域、後側腰部区域、並びに前側及び後側腰部区域の間を延び、且つそれらを接続する股部区域を画定する。第１及び第２の拡張可能なサイドパネルは、主要部分の前側腰部区域と主要部分の後側腰部区域の間を延び、且つそれらを接続して、腰部が閉じた形体の物品を形成し、各サイドパネルの少なくとも一部は、弛緩状態と拡張状態との間で拡張可能である。物品は、第１及び第２の側部区域を画定し、各側部区域は第１及び第２のサイドパネルの１つを包含し、主要部分の横断方向区域はそれぞれのサイドパネルの境界を成す。情報画像が少なくとも第１の側部区域に配置される。物品は、更に、物品の外側表面に形成され、情報画像に近接して位置付けられて、複合画像を形成する質感機構を包含してもよい。別の方法として、又はそれに加えて、画像は認知上機能的な図案を包含する。
2008531240.tif 000002
【特許請求の範囲】
【請求項１】
プルオン着用可能な物品であって、
外側カバーを含み、前側腰部区域、後側腰部区域、並びに前記前側及び後側腰部区域の間を延びてそれらを接続する股部区域を画定する主要部分と、
前記主要部分の前側腰部区域と前記主要部分の後側腰部区域との間を延びてそれらを接続し、腰部が閉じた形体の物品を形成する第１及び第２の拡張可能なサイドパネルであって、各サイドパネルの少なくとも一部が弛緩状態と拡張状態との間で拡張可能なサイドパネルと、
を備え、
前記物品が、第１及び第２の側部区域を画定し、前記側部区域の各々が前記第１及び第２のサイドパネルの１つを包み、前記主要部分の横断方向区域がそれぞれの前記サイドパネルの境界を成し、
前記プルオン着用可能な物品が、
少なくとも前記第１の側部区域に配置された情報画像と、
前記物品の外側表面に形成され前記情報画像に近接して位置付けられて複合画像を形成する質感機構と、を更に備えることを特徴とするプルオン着用可能な物品。
【請求項２】
前記質感機構が、少なくとも部分的に前記情報画像と一致させて位置付けられ、それによって前記情報画像を強調する、請求項１に記載のプルオン着用可能な物品。
【請求項３】
前記質感機構が、前記情報画像とは別の前記複合画像の一部を形成する、請求項１又は２に記載のプルオン着用可能な物品。
【請求項４】
前記質感機構が機械的処理によって付与され、前記機械的処理が、好ましくはリングロール、予備伸張、エンボス加工、及びスリット付けである、請求項１〜３のいずれか一項に記載のプルオン着用可能な物品。
【請求項５】
前記質感機構が、前記外側表面に形成された突出部、前記外側表面に形成された凹部、前記外側表面に形成された平滑区域を含む、請求項１〜４のいずれか一項に記載のプルオン着用可能な物品。
【請求項６】
前記質感機構が、単一の別個の質感領域又は複数の別個の質感領域に配置される、請求項１〜５のいずれか一項に記載のプルオン着用可能な物品。
【請求項７】
前記別個の質感領域が、円形、楕円形、幾何学的図形、線、及び円弧を含む形状の群から選択された形状を含む、請求項７に記載のプルオン着用可能な物品。
【請求項８】
前記情報画像が、擬人化画像、方向を示すアイコン、手の図形、又は印刷された画像を含む、請求項１〜７のいずれか一項に記載のプルオン着用可能な物品。
【請求項９】
前記情報画像が、前記物品を把持するための引張り位置、特定の性別による使用への適切性、又はトレーニング用途に対する適切性を伝達する、請求項１〜８のいずれか一項に記載のプルオン着用可能な物品。
【請求項１０】
前記情報画像が、少なくとも部分的に前記横断方向区域の少なくとも１つに配置された、請求項１〜９のいずれか一項に記載のプルオン着用可能な物品。
【発明の詳細な説明】
【技術分野】
【０００１】
本開示は、使い捨て吸収性プルオンおむつなどのプルオン着用可能な物品に関する。より具体的には、本開示は、そのような物品のユーザが認知的反応を開始するための視覚的特徴に関する。
【背景技術】
【０００２】
幼児及び小児用の吸収性使い捨ておむつ及び成人用失禁用製品などの、着用可能な物品は、当該技術分野において以前から知られている。これらの物品は、尿及び糞便物質などの身体排出物を吸収及び収容するために設計される。理想的には、これらの製品はぴったりとフィットし、排出物の漏れを防ぐ。
【０００３】
典型的には、従来の幼児及び小児用のおむつ製品は、粘着テープ締結具又はフック・ループ式締結具などの締結具によって、使用中、ユーザの腰部の周りで解放可能に接続される、前側腰部部分及び後側腰部部分を含んできた。一般に、そのようなおむつは、乳児を仰向けに寝かせ、おむつを乳児の脚部の間に位置付け、腰部の周りで締結具を締結することによって付与される。
【０００４】
最近では、「プルオン」又は「パンツ」タイプの従来技術のいくつかの使い捨て吸収性物品が存在している。これらの物品は、典型的には、腰部が閉じた形体でユーザに配置され、従って、ユーザの腰及び臀部の上に引き上げられて、腰部の周り並びに脚部の間に位置付けられるように設計される。理想的には、付与は実質的に小児によって達成されるが、これらの物品は、典型的には、困難が伴うため、少なくとも部分的に介護人によって付与される。介護人は、（１）ユーザの脚部を物品の脚部の穴に通す；（２）物品をユーザの腰及び臀部の上まで引っ張る；並びに（３）物品を一度配置して、適合を補正又は調整する、という動作の１以上を行うか又は支援することが多い。典型的には、そのようなプルオン物品は、物品が臀部の上まで引っ張られ、次に弾性的に収縮して物品を快適に適合させることができるように拡大する、伸縮性サイドパネルなどの伸縮性部分を有する。プルオン物品の変形例としては、再締結可能なサイドシームなどの再締結可能なシーム付き領域が挙げられる。これらの代替の物品は、シームを解くことによって開かれてもよいが、典型的には、閉じた形体でユーザに付与されることを意図し、従って上述したような伸縮性部分を含む。
【０００５】
プルオン吸収性物品は、従来のおむつを着用することから下着に移行する際に小児によって使用されることを意図することが多い。小児は、大きくなり成長するに従って、自分で着替えをする能力を身に付ける。低年齢小児及び乳児は、特に歩き始めると、一般に、ユーザが直立位置で付与及び除去することが通常容易であるために、下着を真似たプルオンおむつ及び／又はトレーニングパンツを一般的に着用する。
【０００６】
小児が上手くプルオン製品を付与することをより容易にすることにより、プルオンおむつ及びトレーニングパンツは、着替えを習得するプロセス全体を容易にすることが望ましい。生理学的、心理学的、又は他の要因により、多くの小児、特に月齢１２〜３０ヶ月の範囲の小児は、プルオン製品の最も容易に可視でき且つアクセス可能な部分、即ち前側腰部区域を把持するため、自然に前屈みになる。プルオン物品は、臀部及び腰の上まで引っ張られなければならないので、製品の前側で引っ張る傾向は、この動作がおむつ後部の周辺の張力を増加させ、そのため、臀部の下できつく引っかかることから、失敗及び不満感につながることが多い。更に、物品を、即ち物品の後側腰部区域を取り除き得る垂直方向の張力は、その領域に付与されない。それ故に、小児が製品を側部から把持して引っ張り、それによって、垂直方向の引っ張り力を前側及び後側区域の両方に分配することが、より有利である。
【０００７】
従って、使用中に側部で把持し易いようにするプルオン物品を提供することが有利である。米国特許第６，７０２，７９５号（クレンプ（Klemp））は、装飾的又は指示的な印刷で印を付けた、伸縮性側部腰部区域を備えた使い捨て吸収性物品を提案している。側部腰部区域は、収縮した形体を有するが、拡張した形体まで伸縮可能である。クレンプ（Klemp）は、拡張した形体（即ち、腰部に着用されたとき）で印刷が最も見易いが、収縮した形体（即ち、腰部に着用されていないとき）では見づらく曖昧になるようにして、装飾的又は指示的な印刷が側部腰部区域に付与されることを開示している。しかしながら、クレンプ（Klemp）において開示されている印刷は、付与プロセスにおいて一般に遭遇する、例えば、暗い又は不均一な照明条件、低い視角（着用者が自身の臀部／脚部を浅い角度で見下ろすなど）といった特定の条件では特に見にくいことがある。更に、クレンプ（Klemp）は、「装飾的又は指示的な印刷」を一般的に開示し、物品上に印刷された単語を具体的に示している。しかしながら、読み書きを覚える前の小児はそのような印刷を理解せず、印刷は、物品を用いた行動又は作業をどのように実行するかを、ユーザに指示しないと思われる。
【発明の開示】
【発明が解決しようとする課題】
【０００８】
そのため、物品の使用について小児に適切に指示するための、明瞭ではっきりした画像を含むプルオン着用可能な物品が求められている。特に、読み書きを覚える前の小児が理解可能で反応し易い方法で、視覚的メッセージ、指示、又は手掛りを迅速且つ的確に伝達する物品が求められている。
【発明を実施するための最良の形態】
【０００９】
本明細書で使用するとき、語句「着用可能な物品」は、腰部開口部及び一対の脚部開口部を有するように構成された物品を指す。この構成は、従来の下着の場合のように恒久的であってもよく、又は取り外しのために開けることができるシームを備えたトレーニングパンツの場合のように一時的であってもよい。それに加えて、プルオン物品は、物品が閉じたパンツ様の形体と、開いた又はパンツ様ではない１以上の形体との両方を有することができるように、再締結可能な機構を備えて作成することができる。着用可能な物品としては、使い捨ておむつなどの丈夫な使い捨て吸収性物品、並びにトレーニングパンツ又は使い捨てプルオンおむつなどの部分的に吸収性又は非吸収性の物品が挙げられる。
【００１０】
本明細書で使用するとき、語句「プルオン付与」は、ユーザの脚部を腰部開口部に通すことにより、物品を閉じた形体でユーザの腰部区域に配置し、物品を脚部に沿って腰及び臀部の上に引っ張る方法を指す。物品は、恒久的に閉じた形体であってもよく、又は開いた形体で配置されることができるが、閉じた形体のまま付与されることを意図するものであってもよい。
【００１１】
本明細書で使用するとき、語句「吸収性物品」は、液体を吸収し収容するデバイスを指し、より具体的には、ユーザの身体に接して又は近接して配置されて、身体から排出される様々な排出物を吸収し収容するデバイスを指す。
【００１２】
「一体の」吸収性物品とは、一つに合体された別々の部品から形成されて調和した統一体を形成し、そのため、別のホルダ及びライナーなどの別々の操作部品を必要としない吸収性物品を指す。
【００１３】
本明細書で使用するとき、用語「おむつ」は、一般に乳児及び失禁者によって胴体下部の周りで着用される吸収性物品を指す。
【００１４】
本明細書で使用するとき、用語「使い捨て」は、一般に洗濯されるか別の方法で吸収性物品として復元又は再使用されることを意図しない（即ち、一回の使用後に廃棄され、好ましくはリサイクルされ、堆肥化され、又は環境に適合する形で別の方法で処理されることを意図する）吸収性物品を意味する。
【００１５】
本明細書で使用するとき、用語「長手方向」は、物品の最大直線寸法に平行に走る方向であり、長手方向の±４５°以内の方向を含む。用語「横方向」又は「横断方向」は、長手方向に直交する方向を示す。「Ｚ方向」は、長手方向及び横方向の両方に直交する。「ｘ−ｙ平面」は、長手方向及び横断方向に相合する平面を指す。
【００１６】
用語「配置された」は、本明細書では、要素（１つ又は複数）が特定の場所または位置で他の要素と共に単一構造として、又は別の要素に接合された別の要素として形成される（接合され位置付けられる）ことを意味するのに使用される。
【００１７】
本明細書で使用するとき、用語「接合された」は、ある要素が、直接別の要素に固着することによってその別の要素に直接固定される構成と、ある要素が中間部材（１つ又は複数）に固着し、次にその中間部材が別の要素に固着することによって、その別の要素に間接的に固定される構成とを包含する。
【００１８】
本明細書で使用するとき、用語「再締結可能な」は、物品の連続的な使用を損なうであろう締結具の性能の実質的な悪化又は物品周囲の構成要素の損傷を伴うことなく、２以上の要素又は要素の部分を分離し、引き続いて再付着させることができるような方法でそれらを共に付着させることを指す。再締結可能な構成要素は、無限の寿命を有する必要はないが、再締結可能な方法で付着させた構成要素は、物品の一般的な使用寿命に亘って、分離と再付着を続けて何回か行うことが十分できると理解される。実際の締結又は粘着の強度は、絶対的には締結から再締結まで著しく低下する場合があるが、このような低下は、結果として生じる再締結強度が使い捨て吸収性物品での使用目的に十分である場合、締結具の性能の「実質的な悪化」ではないことも理解される。
【００１９】
本明細書で使用するとき、用語「不透過性」は、一般に、０．９７ｋＰａ（０．１４ｌｂ／ｉｎ２）以下の圧力下で、流体が物品のＺ方向の厚さ全体に浸透しない物品及び／又は要素を指す。不透過性の物品又は要素はまた、３．４ｋＰａ（０．５ｌｂ／ｉｎ２）以下の圧力下で流体が浸透しなくてもよい。不透過性の物品又は要素はまた、６．９ｋＰａ（１．０ｌｂ／ｉｎ２）以下の圧力下で流体が浸透しなくてもよい。
【００２０】
本明細書で使用するとき、用語「接着剤」又は「典型的な接着剤」は差替え可能であり、全体的に別の材料（例えば、材料は特別には選択されない）に塗布されると接続を呈する材料を指す。接着材料は全体的に他の材料に接続し、このような粘着を呈するために他の材料が特別に選択された特性を有する必要はない。一般に、使い捨て吸収性物品で使用する典型的な接着材料は、特定の温度で（例えば、ホットメルト接着剤）又は圧力下で（感圧接着剤）このような粘着を呈する。
【００２１】
本明細書で使用するとき、用語「延伸性」は、外部の引っ張り力を受けたとき、少なくとも一方向に伸長又は増大する材料を指す。
【００２２】
本明細書で使用するとき、用語「弾性」又は「伸縮性」は、差替え可能であることを意図し、延伸性であって、且つ外部の引っ張り力が取り除かれると実質的に元の寸法に戻る材料を指す。
【００２３】
本明細書で使用するとき、用語「拡張可能な」は、延伸性であって、好ましくは少なくとも部分的に弾性である材料を指す。
【００２４】
本明細書で使用するとき、用語「判読可能な」は、画像、又は、迅速及び／又は容易に読む又は解読することができるように十分に明瞭、明確、且つはっきりした特定の状態の画像を指す。
【００２５】
プルオン着用可能な物品は、拡張可能なサイドパネル及び情報画像を有して、本明細書に開示される。情報画像は、サイドパネルの状態に関わらず（即ち、サイドパネルが弛緩状態、拡張状態、又は弛緩状態と拡張状態の間にあるかに関わらず）判読可能であってもよい。一実施形態では、情報画像は、読み書きを覚える前の小児又は他のユーザの認知的反応を誘発して、画像の付近で物品を把持させるために注意を引く図案を含む。物品は、情報画像と併せて複合画像を形成する、質感機構を更に含むことが可能である。質感機構は、情報画像とは別の複合画像の一部を形成してもよく、又は情報画像と一致して、例えば層化された、三次元の、又は他の視覚効果を付与して画像を強調することにより、その外観を強調することもできる。更に、画像は、物品に関する指示又は他の情報をユーザに伝達する、認知上、機能的な図案を含むこともできる。本願に提示される実施形態は、使い捨てプルオンおむつ又はトレーニングパンツなどの吸収性物品として記載され説明されるが、本開示はそれに限定されず、本明細書に規定されるような任意のプルオン着用可能な物品を含むことが理解されよう。
【００２６】
図１を参照すると、代表的なプルオン着用可能な物品１が、閉じた構成を有して示される。物品１は、主要部分２と、第１のサイドパネル４及び第２のサイドパネル６とを含む。主要部分２及びサイドパネル４、６は、一般に、腰部開口部７並びに一対の脚部開口部８及び９を画定して、プルオン又はパンツ様の物品を形成する。より詳細に後述されるように、サイドパネル４及び６は各々、配置及び除去を容易にするため拡張可能（即ち、上記に定義したように、延伸性、並びに好ましくは少なくとも部分的に弾性）であってもよい。物品１は閉じた構成を有する。閉じた構成は、サイドパネル４、６が使用前及び使用の間、閉じた形体の維持を意図するという意味で恒久的である。そのようにして、物品１は、閉じた形体で供給され、配置され、着用される。サイドパネル４、６は、脆くても、又は主要部分に弱く接続されてもよいので、物品１は、除去且つ／又は処理準備をする間、開かれてもよい。
【００２７】
図２及び３に示される代替実施形態では、プルオン着用可能な物品２０は、開いた並びに閉じた形体の両方で、選択的に配置されてもよい。物品２０は、解放可能に主要部分２６に締結可能なサイドパネル２２、２４を含み、サイドパネル２２及び２４が、側部取付け領域２８及び３０のどちらか又は両方に沿って開かれ、再閉されるのを可能にする。図２及び３の実施形態は、主要部分の前側に解放可能に取付け可能なサイドパネル２２、２４を示すが、それらは、別の方法として、又はそれに加えて、主要部分の後側に解放可能に取付け可能であってもよい。サイドパネル２２及び２４は、プルオン付与及び除去を容易にするため、拡張可能であってもよい。
【００２８】
この実施形態では、側部取付け領域２８、３０は、主要部分２６に締結されて、図１に示される閉じた物品１に類似した、腰部及び脚部開口部を画定する閉じた形体を作成してもよい。それに加えて、側部取付け領域２８、３０は、図３に示されるような右側の側部取付け領域３０のように、締結されていなくてもよい。側部取付け領域２８、３０の１つ又は両方が締結されず、それぞれのサイドパネル２２、２４が開いているとき、物品２０は開いた形体にあると言われる。物品２０の個々のサイドパネル２２、２４は、別々に主要部分２６に取り付けられてもよく、又は主要部分２６と一体にされてもよい。物品２０は、開いた又は閉じた、のどちらの形体でユーザに提供されてもよい。開いた形体で提供された場合、ユーザ又は介護人は、ユーザの上に配置する前に閉じた形体で物品２０を配置してもよい。閉じた形体で提供された場合、ユーザ又は介護人は、１つ又は両方の取付け領域２８、３０を開き、異なる位置で再取付けすることにより、腰部開口部サイズを調整してもよい。そのように調整しても、物品２０は、好ましくは、ユーザの上に配置する前に閉じた形体に戻される。
【００２９】
図４〜６に示される更なる代替実施形態では、物品１０は、図２及び３に示される実施形態に類似した、開いていても又は閉じていてもよいサイドパネル１４、１６を有する。この実施形態では、サイドパネル１４、１６は、前側パネル部分７０、７２及び後側パネル部分７４、７６を含む。前側及び後側パネル部分７０、７２、７４、７６は、主要部分１２の前側及び後側部品それぞれに結合されるか、またはそこから連続的に延びてもよい。サイドパネル１４、１６は各々、配置及び除去を容易にするため拡張可能であってもよく、また、サイドパネル１４、１６が、側部取付け領域１３、１５のどちらか又は両方に沿って開かれ、再び閉じられることを可能にする、再締結可能な機構を備えてもよい。１つのサイドパネル１４、１６は、拡張性が低くても、又は拡張不能であってもよい。更に、１つ又は両方のサイドパネル１４、１６の一部分は、そのサイドパネルの残りの部分よりも拡張性が高くても低くてもよい。サイドパネル又はサイドパネルの一部分の相対的な拡張可能性は、この実施形態に限定されず、図１〜３の実施形態に関連して記載されたものなどが挙げられる、拡張可能なサイドパネルを有する他のタイプの物品に提供されてもよい。
【００３０】
側部取付け領域２８、３０が締結されてサイドパネル１４、１６が（図４に示すように）閉じられると、物品１０は、腰部開口部１７及び一対の脚部開口部１８、１９を画定する閉じた形体を有して、プルオン又はパンツ様の物品を形成する。サイドパネル１４、１６のどちらか又は両方は、（図５のサイドパネル１４のように）開かれて、物品２０を開いた形体で配置してもよい。図２〜６を参照して記載されたサイドパネルなどの、再締結可能なサイドパネルの更なる詳細は、「吸収性物品締結デバイス（Absorbent Article Fastening Device）」という名称の同時係属中の米国特許第６，４３２，０９８号（クライン（Kline）ら、２００２年８月１３日発行）に見出すことができる。
【００３１】
図６を参照すると、物品１０は、平坦に広げられた開いた形体で示される。この形体では、物品１０は、長手方向に延びる軸線３１及び横方向（又は横断方向）に延びる軸線３３を参照して説明することもできる。長手方向軸線３１に沿って、物品１０は、前側縁部３５を有する前側腰部区域３８、後側縁部３７を有する後側腰部区域４０、及び前側腰部区域３８と後側腰部区域４０との間を延びる股部区域４２を含む。股部区域４２は、物品１０が着用されたとき、ユーザの脚部の間にほぼ配置される物品１０の部分である。区域３８、４０、４２は各々、物品１０の長手方向長さ全体のほぼ３分の１を含むように示されるが、本開示はこの代表的な実施形態に限定されず、各区域は、長手方向長さ全体に対して任意の好適な長さを有してもよい。横方向に沿って、物品１０の主要部分１２は、一対の長手方向縁部、即ち左側縁部３２及び右側縁部３４によって境界が定められる。
【００３２】
腰部区域３８、４０は、弾性ギャザリング機構、パディング機構、収容機構、又は、典型的にはこのタイプの使い捨て吸収性物品の腰部区域に提供される、任意の他の機構（伸縮性腰部バンドが挙げられる）を備えてもよく、多種多様なそれらの機構は当該技術分野において既知である。そのような機構の一実施例が、腰部機構４１（前側及び後側区画を包含する）として図６に示される。腰部区域と同様に、股部区域４２は、このタイプの使い捨て吸収性物品に典型的に提供される任意の機構を備えてもよい。当該技術分野において典型的に用いられるそのような機構の例は、脚部弾性部、バリア閉じ込め構造（立ち上がったレッグカフ又はバリアレッグカフなど）、図案、適合又は外観のための切欠きなどである。
【００３３】
物品１０の主要部分１２は、典型的には、少なくとも、液体透過性トップシート５０、液体不透過性バックシート５２、並びにトップシート５０とバックシート５２との間に封入された吸収性コア５４の少なくとも一部を含む。一体の吸収性物品の場合、この基本的アセンブリは、主要部分２６並びに最終的には物品１０全体を形成するために付加された他の機構を備えた、おむつの主要構造を含む。トップシート５０、バックシート５２、及び吸収性コア５４は、多様な周知の形体で組み立てられてもよいが、好ましいおむつの形体は、概して、「使い捨ておむつ用の収縮可能な側部部分（Contractible Side Portions for Disposable Diaper）」という名称の米国特許第３，８６０，００３号（ケネス・Ｂ・ブエル（Kenneth B. Buell）、１９７５年１月１４日発行）、米国特許第５，１５１，０９２号（ブエル、１９９２年９月９日発行）、米国特許第５，２２１，２７４号（ブエル、１９９３年６月２２日発行）、「複数区域の構造的弾性様フィルムウェブの延伸性腰部機構を備えた吸収性物品（Absorbent Article With Multiple Zone Structural Elastic-Like Film Web Extensible Waist Feature）」という名称の米国特許第５，５５４，１４５号（ロー（Roe）ら、１９９６年９月１０日発行）、「使い捨てプルオンパンツ（Disposable Pull-On Pant）」という名称の米国特許第５，５６９，２３４号（ブエルら、１９９６年１０月２９日発行）、「吸収性物品用のサイドパネルを製造するゼロスクラップ方法（Zero Scrap Method For Manufacturing Side Panels For Absorbent Articles）」という名称の米国特許第５，５８０，４１１号（ニース（Nease）ら、１９９６年１２月３日発行）、及び、「多方向延伸性のサイドパネルを備えた吸収性物品（Absorbent Article With Multi-Directional Extensible Side Panels）」という名称の米国特許第６，００４，３０６号（ローブルズ（Robles）ら、１９９９年１２月２１日発行）に記
載されている。
【００３４】
トップシート５０は、従順で感触が柔らかく、ユーザの皮膚に刺激がない。更に、トップシート５０は液体透過性であり、液体（例えば、尿）がその厚さ全体を容易に透過できる。好適なトップシートは、多孔質発泡体、網状発泡体、孔あきプラスチックフィルム、孔あき不織布ウェブ、或いは、天然繊維（例えば、木材繊維若しくは木綿繊維）、合成繊維（例えば、ポリエステル繊維若しくはポリプロピレン繊維）、又は天然繊維と合成繊維の組み合わせの織布又は不織布ウェブなど、多様な材料から製造されてもよい。好ましくは、特定のトレーニングパンツ物品において望ましいように、物品が少なくとも部分的に湿った感覚をユーザに提供することを意図するものでない限り、トップシート５０は、ユーザの皮膚を吸収性コア５４に収容された液体から隔離する（即ち、「再湿潤」を防ぐ）ため、疎水性材料で作られる。
【００３５】
トップシート５０は、トップシート５０とコア５４との間に空隙を提供するように、全体的に又は部分的に弾性化されてもよく、又は短縮されてもよい。弾性化又は短縮されたトップシートを含む代表的な構造は、「弾性ストランドを有する吸収性物品（Absorbent Article Having Elastic Strands）」という名称の米国特許第４，８９２，５３６号（デマレーズ（DesMarais）ら、１９９０年１月９日発行）、「排泄物を隔離する弾性ライナーを備えた吸収性物品（Absorbent Article With Elastic Liner For Waste Material Isolation）」という名称の米国特許第４，９９０，１４７号（フリーランド（Freeland）、１９９１年２月５日発行）、「弾性的延伸性トップシートを有する使い捨て吸収性物品（Disposable Absorbent Article Having Elastically Extensible Topsheet）」という名称の米国特許第５，０３７，４１６号（アレン（Allen）ら、１９９１年８月６日発行）、及び、「使い捨て吸収性物品用の三等分トップシート及びそのような三等分トップシートを有する使い捨て吸収性物品（Trisection Topsheets For Disposable Absorbent Articles and Disposable Absorbent Articles Having Such Trisection Topsheets）」という名称の米国特許第５，２６９，７７５号（フリーランドら、１９９３年１２月１４日発行）により詳細に記載されている。
【００３６】
吸収性コア５４は、一般に圧縮可能且つ従順で、ユーザの皮膚に刺激がなく、また、尿などの液体及び他の特定の身体排出物を吸収し保持することができる、任意の吸収性材料を含んでもよい。吸収性コア５４は、使い捨ておむつ及び他の吸収性物品に一般に使用される、一般にエアフェルトと称される粉砕木材パルプなどの、多種多様な液体吸収性材料を含んでもよい。他の好適な吸収性材料の例としては、縮みセルロース詰め物；コフォームを含むメルトブローポリマー；化学的に剛化、変性若しくは架橋されたセルロース繊維；ティッシュラップ及びティッシュラミネートを含むティッシュ；吸収性発泡体；吸収性スポンジ；超吸収性ポリマー；吸収性ゲル材料；超吸収性繊維；又は他のあらゆる既知の吸収性材料、若しくは材料の組み合わせが挙げられる。
【００３７】
吸収性コア（単層構造又は多層複合構造のいずれか）として使用される代表的な吸収性構造体は、「高密度吸収性構造体（High-Density Absorbent Structures）」という名称の米国特許第４，６１０，６７８号（ウェイスマン（Weisman）ら、１９８６年９月９日発行）、「二重層コアを有する吸収性物品（Absorbent Articles With Dual-Layered Cores）」という名称の米国特許第４，６７３，４０２号（ウェイスマンら、１９８７年６月１６日発行）、「より低密度及びより低坪量の獲得帯を有する高密度吸収性部材（High Density Absorbent Members Having Lower Density and Lower Basis Weight Acquisition Zones）」という名称の米国特許第４，８３４，７３５号（アレメニー（Alemany）ら、１９８９年５月３０日発行）、「除塵層を有する吸収性コア（Absorbent Core Having A Dusting Layer）」という名称の米国特許第４，８８８，２３１号（アングスタッド（Angstadt）、１９８９年１２月１９日発行）、「個別化されたポリカルボン酸架橋木材パルプセルロース繊維を含有する吸収性構造（Absorbent Structure Containing Individualized,Polycarboxylic Acid Crosslinked Wood Pulp Cellulose Fibers）」という名称の米国特許第５，１３７，５３７号（ヘロン（Herron）ら、１９９２年８月１１日発行）、「失禁管理用の高効率吸収性物品（High Efficiency Absorbent Articles For Incontinence Management）」という名称の米国特許第５，１４７，３４５号（ヤング（Young）ら、１９９２年９月１５日発行）、「低粘性糞便物質用の使い捨て吸収性物品（Disposable Absorbent Article For Low-Viscosity Fecal Material）」という名称の米国特許第５，３４２，３３８号（ロー（Roe）、１９９４年８月３０日発行）、「水性体液用の吸収性発泡材料とそのような材料を含有する吸収性物品（Absorbent Foam Materials For Aqueous Body Fluids and Absorbent Articles Containing Such Materials）」という名称の米国特許第５，２６０，３４５号（デマレーズ（DesMarais）ら、１９９３年１１月９日発行）、「水性体液用の湿潤まで薄い吸収性発泡材料及びその材料の製造方法（Thin-Until-Wet Absorbent Foam Materials For Aqueous Body Fluids And Process For Making Same）」という名称の米国特許第５，３８７，２０７号（ダイヤー（Dyer）ら、１９９５年２月７日発行）、「膨張性吸収材料から形成される水性体液用スリット付き吸収性部材（Slitted Absorbent Members For Aqueous Body Fluids Formed Of Expandable Absorbent Materials）」という名称の米国特許第５，３９７，３１６号（ラボン（LaVon）ら、１９９５年３月１４日発行）、及び、「非常に高い水対油比を有する高内相エマルションから製造された水性流体用の吸収性発泡材料（Absorbent Foam Materials For Aqueous Fluids Made From high Internal Phase Emulsions Having Very High Water-To-Oil Ratios）」という名称の米国特許第５，６２５，２２２号（デマレーズら、１９９７年７月２２日発行）に記載されている。これらの特許はそれぞれ、参考として本明細書に組み込まれる。
【００３８】
バックシート５２は、一般に、吸収性コア５４の外側表面に隣接して位置付けられた物品１０の部分である。バックシート５２は、中に吸収され収容された排出物が、ベッドシーツ及び下着など、物品１０に接触することがある品目を汚すのを防ぐ。好ましい実施形態では、バックシート５２は、実質的に液体（例えば、尿）不透過性であり、不織布と、厚さ約０．０１２ｍｍ（０．５ミル）〜約０．０５１ｍｍ（２．０ミル）の熱可塑性フィルムなどの薄いプラスチックフィルムとの積層体を含む。好適なバックシートフィルムとしては、インディアナ州テレホート（Terre Haute）のトレデガー・インダストリーズ社（Tredegar Industries Inc.）製の、Ｘ１５３０６、Ｘ１０９６２、及びＸ１０９６４の商標名で販売されているものが挙げられる。他の好適なバックシート材料としては、蒸気を物品１０から逃がすことができる一方で、排出物がバックシート５４を通過するのを依然として防ぐ、通気性材料を挙げることができる。代表的な通気性材料としては、織布ウェブ、不織布ウェブ等の材料、フィルムコーティングされた不織布ウェブなどの複合材料、三井東圧（Mitsui Toatsu Co.）（日本）によりＥＳＰＯＩＲ  ＮＯの名称で、またトレデガー・インダストリーズ社（Tredegar Industries）からＥＸＡＩＲＥの名称で製造されているようなミクロ孔質フィルムを挙げることができる。ポリマーブレンドが含まれている好適な通気性複合材料は、クロペイ・コーポレーション（Clopay Corporation）（オハイオ州シンシナティ（Cincinnati）からＨＹＴＲＥＬブレンドＰ１８−３０９７の名称で入手可能なものである。そのような通気性複合材料は、ＰＣＴ国際公開特許ＷＯ９５／１６７４６号（Ｅ．Ｉ．デュポン社（E. I. DuPont）、１９９５年６月２２日公開）、及び同時係属中の米国特許出願第０８／７４４，４８７号（キュロ（Curro）、１９９６年１１月６日出願）により詳細に記載されている。不織布ウェブ及び孔あき成形フィルムを包含する他の通気性バックシートは、米国特許第５，５７１，０９６号（ドブリン（Dobrin）ら、１９９６年１１月５日発行）に記載されている。これらの参考文献はそれぞれ、参考として本明細書に組み込まれる。
【００３９】
バックシート５２はまた、１層を超える層から成ってもよい。例えば、バックシートの外側層（単にバックシートと称されることが多い）は、柔らかい不織布材料で作られてもよく、バックシートの内側層は、実質的に不透過性のフィルムで作られてもよい。別の方法として、バックシートは、単に、１以上の液体透過性層を含んでもよく、その場合、追加の実質的に不透過性の層を、吸収性コア５４とバックシート５２との間に包含して、収容性を提供することが好ましいことがある。そのような層の例としては、実質的に不透過性のフィルム、ワックス層（即ち、吸収性コア５４又はその要素に塗布されたワックスコーティング）、又は他の好適な材料が挙げられ、その更なる例は、「高い対流気流速度を有する吸収性バリア構造及びそれから製造された物品（Absorbent Barrier Structures Having a High Convective Air Flow Rate and Articles Made Therefrom）」という名称の米国特許公開公報ＵＳ２００３／００６５２９８号（クリシュナスワミー−ミルレ（Krishnaswamy-Mirle）ら、２００３年４月３日公開）に記載されている。
【００４０】
バックシートと称されない場合でも、パンツ様の物品は、望ましくは柔軟な材料の外側カバー層を有する。この層は、主要部分１２の縁部を超えて延びてもよく（例えば、更にサイドパネルの中まで延び、それを覆ってもよい）、又は、主要部分１２の他の層と同一の広がりを有してもよい。バックシート５２が複数層から成る場合、層は互いに同一の広がりを有してもよく、又は異なる寸法を有してもよい。接着剤、又は他の任意の好適な材料若しくは方法を使用して、バックシート層同士を接合してもよい。本明細書では様々なバックシート構成が検討されるが、本発明の趣旨及び範囲から逸脱することなく、様々な他の変更及び修正が可能であることは当業者には明らかであろう。
【００４１】
物品１０は、更に、カフ、ウエストキャップ機構、弾性部など、より良好な適合、収容性、及び美観的特性を提供する、当該技術分野において既知の他の機構を含んでもよい。そのような追加の機構は、当該技術分野において周知であり、米国特許第３，８６０，００３号及び米国特許第５，１５１，０９２号に記載されている。
【００４２】
例えば、物品１０は、液体及び他の身体排出物の収容性を改善する、バリアカフ６０を包含してもよい。バリアカフ６０は、バリアレッグカフ、内側レッグカフ、閉じ込めフラップ、又は「立ち上がった」弾性フラップとも称されることがある。米国特許第４，８０８，１７８号（アジズ（Aziz）ら、１９８９年２月２８日発行）及び同第４，９０９，８０３号（アジズら、１９９０年３月２０日発行）には、それぞれ、脚部区域の収容性を改善する「立ち上がった」弾性フラップを有する使い捨ておむつが記載されている。
【００４３】
それに加えて、物品１０は、液体及び他の身体排出物の収容性を改善する、ガスケットカフ６２もまた含むことが可能である。ガスケットカフ６２は、外側レッグカフ、レッグバンド、サイドフラップ、レッグカフ、又は伸縮性カフとも称されることがある。米国特許第３，８６０，００３号には、弾性レッグカフをもたらすためにサイドフラップ及び一つ以上の弾性部材を有する伸縮性脚部開口部を備える、使い捨てのおむつが記載されている。
【００４４】
バリアカフ６０及びガスケットカフ６２は、両方とも、米国特許第４，６９５，２７８号（ローソン（lawson）、１９８７年９月２２日発行）及び同第４，７９５，４５４号（ドラグー（Dragoo）、１９８９年１月３日）に例示されるような、二重カフを用いて提供してもよい。本発明の物品に使用するのに適した、そのようなカフ構造に典型的に用いられる当該技術分野において既知の弾性材の任意のものが、カフ構造に用いられる。カフを、当該技術分野において既知の任意の好適な手段を使用して、主要部分２６に接合してもよい。
【００４５】
上述したように、サイドパネルは、主要部分１２と一体であってもよく（即ち、主要部分１２の層の１以上の層の連続した延長部であってもよい）、又は、主要部分１２に別々に取り付けられてもよい（主要部分の周辺部分に取り付けられた完全に別の弾性積層体など）。別の方法として、サイドパネルは、複数の構成要素又は層で作られてもよく、そのいくつかは、（主要部分に別々に取り付けられた、又はギャップによってそこから分離された）別個のものであり、いくつかは連続的なものである。このタイプの構成の一実施例は、米国特許公開公報ＵＳ２００３／００６５２９８号に開示されている物品などの、サイドパネル１４及び１６並びに主要部分１２を含む物品１０のすべての領域を完全に覆う外側不織布カバーを備えた物品である。
【００４６】
サイドパネル１４及び１６は、主要部分１２と共に、プルオン物品が閉じた形体のときに腰部開口部１７並びに一対の脚部開口部１８及び１９を有する、プルオン物品１０を形成する。図６に示される実施形態では、サイドパネル１４、１６は、別々の前側パネル部分７０、７２及び後側パネル部分７４、７６を有する。前側及び後側パネル部分７０、７２、７４、７６は、それぞれ、主要部分１２の前側及び後側腰部区域の延長部を含んでもよく、又は、前側及び後側腰部区域に結合された別々の構成要素を含んでもよい。前側及び後側パネル部分の各対の隣接した縁部区域は、図４及び５に示されるように解放可能に締結可能であってもよく、又は、恒久的に接合されて、図１０を参照してより詳細に後述されるようなシームを形成してもよい。上述のその用途に従って、用語「恒久的」は、縁部区域が十分に接合されて、使用前及び使用中の接続を維持するが、少なくとも１つの縁部区域が脆くてもよいか、又は縁部区域が弱く接続されて、除去及び／又は処理を容易にしてもよいことを示す。別の方法として、前側及び後側パネル部分は、図１に示されるように、単に、別の構成要素として、又は主要部分１２の前側若しくは後側腰部区域のどちらかの延長部として提供される、一体のサイドパネルの異なる部品であってもよい。
【００４７】
図６に戻ると、前側パネル部分７０、７２は、前側腰部区域３８において、又はその付近で、前記主要部分１２の前記長手方向縁部３２及び３４からおおむね横断方向外側に配置される。同様に、後側パネル部分７４及び７６は、後側腰部区域４０において、又はその付近で、前記主要部分１２の前記長手方向縁部３２及び３４からおおむね横断方向外側に配置される。この方式では、それぞれの腰部区域は、パネル部分（前側及び後側の両方）と共に、前側及び後側腰部部分が接合されたときに完全な腰部開口部を形成する。同様に、主要部分１２及びサイドパネルも、組み合わされて、同様の方式で脚部開口部１８及び１９を形成する。
【００４８】
好ましくは、サイドパネル１４及び１６は延伸性であるか、又はより好ましくは弾性であってもよい。サイドパネル１４、１６は様々な形態で提供されてもよい。例えば、各サイドパネルは、少なくとも不織布材料の層とエラストマー要素を包含する、ゼロ歪の伸縮性積層体として形成されてもよい。エラストマー要素は、弛緩した、又は実質的に弛緩した状態のまま不織布材料の層に取り付けられ、結果として得られる積層体は、不織布層を恒久的に、但しエラストマー要素を一時的に伸長する活性化プロセスを積層体に施すことにより、伸縮性に（又は更なる範囲に亘ってより伸縮性に）される。別の方法として、又はそれに加えて、活性化プロセスは、不織布層内の結合を崩壊させるか別の方法で破壊してもよいので、崩壊された不織布層は、実質的にエラストマー要素の伸長を妨げない。不織布層は、主要部分のバックシートの少なくとも一部と一体であってもよく、その場合、エラストマー要素は不織布層に取り付けられてもよく、不織布／エラストマー要素の積層体はその後に活性化される。別の方法として、不織布層は別の構成要素であってもよく、その場合、エラストマー要素は、不織布層に取り付けられて積層体を形成し、それが次に主要部分に結合される。サイドパネルの１以上の層が別々に提供される場合、積層体は、主要部分に取り付ける前又は後のどちらかに活性化されてもよい。更に、ゼロ歪積層体は、延伸性又は少なくとも部分的に弾性の不織布材料などの、エラストマー要素に取り付けられた伸縮性材料を含んでもよい。伸縮性材料が使用される場合、少なくとも部分的な延伸性の積層体を得るためには、活性化が不要なことがある。
【００４９】
別の方法として、各サイドパネルは、エラストマー要素が伸長又は拡張状態のとき、不織布材料の層に結合されたエラストマー要素を少なくとも包含する、予備伸張された積層体を含んでもよい。エラストマー要素に伸長プロセスを施して、拡張状態にしてもよい。不織布層に取り付けた後、続いてエラストマー要素は弛緩され、それによって不織布層をひだ寄せする。ゼロ歪の伸縮性積層体と同様に、予備伸張された積層体の不織布層は、バックシートと一体であってもよく、その場合、エラストマー要素は伸張によって活性化され、バックシートの所望の部分に結合され、弛緩される。別の方法として、不織布層は別の構成要素であってもよく、その場合、エラストマー要素は、伸長され、不織布層が主要部分に結合される前又は後のどちらかに、不織布層に取り付けられてもよい。
【００５０】
エラストマー要素は、延伸性又は弾性のサイドパネルを提供するため、任意の材料として、当該技術分野において既知の任意の形態で提供されてもよい。例えば、エラストマー要素は、弾性フィルム、スクリム、発泡体、ストランド、印刷されたエラストマーパターン（「可変伸張複合物及び複合物の製造方法（Variable Stretch Composites and Methods of Making the Composite）」という名称の米国特許公開公報ＵＳ２００４／０１９３１１３号（デセイ（Desai）ら、２００４年９月３０日公開）に開示されている模様付きエラストマーなど）などであってもよい。エラストマー要素は、更に、上述したような別に形成された予備伸張された積層体などの、外側カバーの不織布層（又は他の不織布層）にゼロ歪の方法で付与され、その後活性化される積層体を含んでもよい。
【００５１】
任意の好適な活性化プロセスが使用されて、ゼロ歪の、又は予備伸張された積層体を形成してもよい。積層体を前進させて、ローラ、係合する歯などに通すなど、機械的処理が使用されてもよい。ゼロ歪活性化処理、及び結果として得られる伸縮性積層体の形成の例は、米国特許第５，１６７，８９７号（ウェバー（Weber）ら）及び米国特許第５，１５６，７９３号（ブエル（Buel）ら）に記載されている。
【００５２】
プルオン物品の全体の寸法は、意図されるサイズ及びユーザの年齢範囲に応じて変わってもよいことが、当業者には容易に理解されるであろう。例えば、本発明のプルオン物品を、様々なサイズで提供して、様々なよちよち歩きの幼児の成長段階に適応させ、そのような段階の１以上に対応する機構を備えるような製品を提供することが望ましいことがある。サイドパネルのサイズは様々であってもよく、好適なサイズは、長さ約２ｃｍ〜約１５ｃｍ（長手方向）及び約１２．７ｃｍ〜約３８１ｃｍ（横断方向で測定）の範囲であってもよい。
【００５３】
図６を参照して最も良く示されるように、物品１０は、サイドパネルと主要部分１２の隣接した区画とを含む側部区域を画定する。代表的な実施形態は、２つの側部区域１００、１０２を含む。側部区域１００は、サイドパネル１４（前側及び後側パネル部分７０、７４を包含する）及び主要部分２６の横断方向区域１０４、１０６を含む。同様に、側部区域１０２は、サイドパネル１６（前側及び後側パネル部分７２、７６を包含する）及び主要部分１２の横断方向区域１０８、１１０を含む。
【００５４】
情報画像１２０は、側部区域１００、１０２の少なくとも１つの上に配置されて、プルアップ物品１０に関する情報をユーザに伝達する。情報画像１２０は、物品１０の使用に関する情報をユーザに伝達するように選択される。情報は、物品１０の特性又は機構に関連してもよく、又は、物品１０の使用に関する指示的又は説明的な情報を提供してもよい。
【００５５】
本明細書で使用するとき、用語「伝達する」は、情報画像が、ユーザにアイディア又はメッセージを与え、又はユーザの中の認知的応答を誘発する能力を指す。または、伝達は、意図されるメッセージに到達するために、ユーザの経験又は知識に依存することも可能である。それに加えて、又は別の方法として、画像は、好ましくは、基本的又は直感的レベルで理解される、ユーザの以前の知識又は経験を必要としない単純な概念を説明する。いずれの場合も、好ましくは一般に受け手側のユーザが理解可能な、動作又は成されるべき決定に関するメッセージを伝達するという点で、画像は好ましくは認知上機能的なものである。
【００５６】
本明細書で使用するとき、語句「〜上に配置される」は、情報画像１２０が、プルオン物品１０に付与され、その上に形成され、又は別の方法でそれに提供されることを意味するのに使用される。例えば、情報画像１２０は、物品１０又はその要素上に直接印刷されるか、又は、図７に示されるような、物品１０に固着されるか別の方法で接合される材料の補助層１２２などの別の基材上に（活性化の前又は後に）印刷されてもよい。補助層１２２は、不織布、フィルム、積層体、又は他の材料で形成されてもよい。情報画像１２０は、印刷を含む任意の既知の方法を使用して付与されてもよい。本明細書で使用するとき、用語「印刷」は、デジタル、インクジェット、グラビア、スクリーン、及び他の印刷形態などが挙げられるがそれらに限定されない、当該技術分野において既知のすべての印刷方法を含む。印刷方法に関わらず、結果として得られる印刷画像は、好ましくは十分に乾燥し、水に対して不変であって、乾燥による損傷に反応した転移（例えば、外側の衣類と接触することによる磨耗）に抵抗性があり、液体（水、尿、又は飲物など）との接触によって起こる転移、にじみ、又は色泣きに抵抗性がある。
【００５７】
特定の状況では、サイドパネルが弛緩状態のときに、判読可能またはより判読可能な画像を提供することが好ましいことがある。そのような状況の一例は、小児がプルオン物品の配置の全て又は一部を行うように求められたときである。何らかの支援が提供される範囲で、介護人は、小児の足を物品の脚部開口部に通して配置する（即ち、脚を物品に通す）ことのみを助ける場合が多い。それ故に、物品を引っ張り上げる作業に最初に直面するとき、物品は小児の足首又は膝のところにある。足首、膝、又は他の腰及び臀部の下の位置では、サイドパネルは、弛緩状態又は実質的に弛緩した状態にある。例えば、サイドパネルは、４０％の延伸を超えることはほとんどなく、典型的には０〜２０％の延伸であり、物品が腰及び臀部の下に位置付けられているとき、０〜１０％の延伸であることが多い。反対に、一旦物品が腰部の周りで適所に置かれると、小児は、それ以上、物品を把持し且つ／又は引っ張り力を加える必要がなくなることがあり、従って、物品又はその上に配置されたいかなる画像を見る必要がなくなる可能性があり、画像の判読可能性及び視認性はあまり重要ではないことがある。従って、このタイプの状況の場合、情報画像１２０は、サイドパネルが実質的に弛緩状態にあるときに容易に見られることが好ましい。
【００５８】
他の状況では、サイドパネルが拡張状態のときに、判読可能またはより判読可能な画像を提供することが好ましいことがある。例えば、介護人は、製品をユーザの臀部又は腰部に付与し、小児に、腰部まで完全に引き上げ、適合を調整するなどにより、付与プロセスを完了するように求めることがある。これらの状況では、サイドパネルは、非常に、又は実質的に拡張状態になる。それ故に、情報画像は、好ましくは、付与プロセスの適切な時点でユーザに情報を提供するため、サイドパネルが拡張状態のときに判読可能又はより判読可能である。
【００５９】
弛緩状態における画像の判読可能性が問題である場合、情報画像は、サイドパネルが弛緩状態又は実質的に弛緩した状態で、サイドパネル上に配置されてもよい。弛緩状態で判読可能又はより判読可能な情報画像の実施例は、図１５〜１７に示される。
【００６０】
図１５Ａ及び１５Ｂは、それぞれ、画像１１１が、弛緩状態及び拡張状態のゼロ伸縮性積層体の不織布材料１１２の外側層上に配置された一実施例を示す。画像１１１は、不織布層１１２が弛緩状態のとき、明確、明瞭、且つ連続的（従って判読可能）である。不織布層１１２が伸長されて拡張状態であると、不連続性によって画像が中断されて、判読しにくくなる。
【００６１】
別の実施例が図１６Ａ及び１６Ｂに示され、画像１１３は、それぞれ、弛緩状態及び拡張状態のエラストマーフィルム層１１４上に示される。層１１４が弛緩状態のとき（図１６Ａ）、画像１１３はより明瞭かつ明確になって、背景色との、よりはっきりしたコントラストを提供し、変形がより少ないので、判読可能な画像が提供される。層１１４が、図１６Ｂに示される拡張状態のとき、画像１１３は、より薄く、明確でなく、且つより変形された外観を有する。
【００６２】
更なる実施例が図１７Ａ及び１７Ｂに示され、予備伸張された積層体１１６の外側層上に配置された画像１１５を示している。積層体１１６が弛緩状態のとき（図１７Ａ）、画像１１５も同様、より明瞭、明確、且つ連続的であるが、積層体が図１７Ｂに示される拡張状態のとき、画像１１５は不連続的であって、理解するのがより困難である。
【００６３】
上述の実施例それぞれにおいて、情報画像は、弛緩状態（活性化の前又は後）又は拡張状態のどちらかのサイドパネルに付与されてもよい。サイドパネルが弛緩状態である場合、画像は、図１５Ａ、１６Ａ、及び１７Ａに示される画像など、ユーザが見るように意図されるような画像に実質的に対応する、変形していない画像として付与される。画像が拡張状態のサイドパネルに付与される場合、画像は、図１５Ｂ、１６Ｂ、及び１７Ｂに示されるような変形した画像として付与されるので、サイドパネルが実質的に弛緩しているとき、画像は変形されずに強調される。
【００６４】
しかしながら、本開示の範囲から逸脱することなく、情報画像は、拡張状態で判読可能又はより判読可能であってもよいことが理解されるであろう。それ故に、変形していない画像が、サイドパネルが拡張状態にある間に付与されてもよく、又は、変形した画像が、サイドパネルが弛緩状態にある間に付与されてもよい。
【００６５】
本明細書に開示される情報画像は、小児が使用することを意図するプルオン物品に特に適している。それ故に、本明細書に示される代表的な画像は、読み書きを覚える前の小児にとって認知上機能的である。情報画像は、好ましくは、伝達の基礎的な形態として、記号、図案、又は単語以外の他の印を使用するので、読み書きを覚える前の小児は、画像によって示される指示又は他の情報を理解し、それに従うことができる。
【００６６】
本明細書で使用するとき、用語「読み書きを覚える前」及び「読むことができない」は、差替え可能に使用されて、小児が介護人の支援なしに、話すことができる言語で書かれた注意を、小児が、正しく理解し、把握し、それに従うことができないことを意味する。小児が文字を理解し、且つ／又は１つ又は２つの離れた単語を認識できる能力は、小児が、ヒントや支援なしに、そのような書かれた注意を理解し、把握し、それに従うことができないため、小児が「読むことができない」ことをやはり意味する。しかしながら、「読むことができない」のこの定義は、小児が、図、アイコン、記号、仕草、まんがなどの形態で提示された視覚的注意を理解し、把握し、それに従うことができることを除外するものではない。更に、開示される実施形態は、読み書きを覚える前の小児が理解することができるが、画像がこのレベルで理解されることは必須ではない。
【００６７】
画像は、物品１０の使用に関する情報をユーザに伝達するのに適した、任意の視覚的表示の形態であってもよい。それ故に、画像は、絵で表した記号、写真、図、まんが、及びロゴを含んでもよいがそれらに限定されない、１以上のアイコンを含むことが可能である。例えば、アイコンは、小児の図、又はプルオン物品１０を使用している動物を擬人化した画像として提供されてもよい。同様に、アイコンは、周知のまんがキャラクター又はブランドのロゴ、或いは物品と関連付けるように特別に創作されたキャラクターを含んでももよい。アイコンは、更に、動作、移動、又は方向性を示すため、矢印などの記号を含んでもよい。
【００６８】
情報画像は、所望の情報をユーザに伝達する限り、任意の形で配置されてもよい。画像は、単一のアイコン又は一連のアイコンであってもよい。一連のアイコンが提供される場合、各アイコンは同じ又は異なっていてもよい。異なるアイコンは、同じ概念又は動きに関連する（開いた手と閉じた手など）、或いは共通の視覚的要素（類似の外観、色、又はテーマなど）を組み込むという点で、相補的であることも可能である。アイコンは、垂直、水平、対角線、円形、円弧、及びそれらの組み合わせであるがそれらに限定されない、任意の好適な様式で配置されてもよい。
【００６９】
情報画像は、任意に、ユーザの製品に関する関心を増加させることができる、キャラクター図案を含むこともできる。用語「キャラクター図案」は、本明細書では、擬人化された画像を含む図案、及び、特に、人間の動機付け、特性、又は挙動を無生物、動物、自然現象、おもちゃ、まんがのキャラクターなどに帰する、人間の形態若しくは見かけを有する又は示唆する画像を指すのに使用される。キャラクター図案は、メディア、広告、又は特定の文化で周知の人気のキャラクターに関連付けられてもよい。理想的には、それらは、ユーザが、特に小児の場合に、関心を持ち一体感を持ちたがるキャラクターである。
【００７０】
図示される実施形態では、情報画像１２０は、物品１０がユーザの適所まで引っ張られるときにそれを把持する場所を伝達する。延伸性のサイドパネルを有する物品では、力は、物品の前側からよりも、放射方向側部の位置から前側及び後側区域に有効に移行される。それ故に、情報画像１２０は、これらの放射方向側部の位置を包含する物品１０２の側部区域１００又は１０２に配置される。両方の側部区域でおむつを引っ張ることが好ましく、従って、情報画像１２０は、図１に示されるように両方の側部区域に提供され得る。更に、上側縁部付近で物品を把持することが好ましく、従って、画像１２０は、各サイドパネルの上側部分に位置付けられてもよい。画像は異なっていてもよいが、好ましくは実質的に類似している。本明細書で使用するとき、「実質的に類似した画像」は、同一の画像、鏡像、共通の視覚的要素を組み込んだ画像、異なる色を有する同じ又は類似の画像の形状、前景と背景が反転された画像（即ち、ポジとネガ（positive and negative）の同じ又は類似の画像）、ベタと輪郭両方の同じ又は類似の画像などを包含する。
【００７１】
認知上機能的な図案の代表的な一実施形態では、情報画像１２０は、物品が画像の位置で把持されるべきであることをユーザに伝達するため、手の図案として提供される。本明細書で使用するとき、語句「手の図案」は、手、腕又は身体の一部を有する手、掌、１本以上の指、１つ以上の指先などその１以上の部分を模して形成された画像を指す。手は、人間、動物、擬人化されたもの、まんがのキャラクター、架空の生き物、又は他の様式を模してもよい。更に、手の画像は、５本の指（即ち、４本の指と親指）を包含するものに限定されない。小児が使用することが意図されるとき、画像１２０は、任意のサイズを有してもよいが、好ましくは、一般に小児の手またはその一部のサイズに対応するようにサイズが決められる。それ故に、画像は、好ましくは、約１〜約１０ｃｍの横方向寸法と、約１〜約５ｃｍの長手方向寸法を有する。代表的な一実施形態では、画像は、約６ｃｍの横方向寸法と約３ｃｍの長手方向寸法を有してもよい。
【００７２】
手の画像以外の図案が、ユーザの注意を引き、把持位置を示すために使用されてもよい。物品が小児によって使用されることを意図するとき、クッキー又は他の食品、スプーン、ドアノブ、ハンドル、又は小児が一般に把持する他の物体の画像を有してもよい。別の方法として、印は、星、風船、又は小児が容易に認識する他の品目の画像、或いは、小児の注意を引くであろう模様及び装飾的デザインを含んでもよい。
【００７３】
図１に示される情報画像１２０は、完全にそれぞれのサイドパネル内に位置付けられているが、画像は、側部区域１００、１０２内の他の位置に配置されてもよい。例えば、画像の一部はサイドパネル上に配置されてもよいと共に、別の部分は、図８に示される情報画像１３０と同様に、主要部分の隣接する横断方向区域上に配置されてもよい。画像１３０は前側腰部区域付近に位置付けられて示されるが、画像１３０は、同様に後側腰部区域付近に位置付けられてもよいことが理解されるであろう。
【００７４】
それに加えて、画像は、図９に示される情報画像１３２と同様に、完全に主要部分の前側又は後側横断方向区域内に配置されてもよい。横断方向区域は、サイドパネルに隣接して配置されるので、画像は、完全に横断方向区域内に提供されたとき、依然として、主要部分の中央よりも望ましい引っ張り位置を示す。連続的な単一のサイドパネルが図１に示されるが、サイドパネルは、図４〜６に示されるように、別のパネル部分で形成されてもよい。それ故に、画像は、完全に特定のサイドパネル部分内で、隣接する接合されたサイドパネル部分に掛かって、又はサイドパネル部分と主要部分の横断方向区域とに掛かって配置されてもよい。
【００７５】
サイドパネル又は主要部分は、情報画像の少なくとも一部がその上に配置される、横方向突出部などの突出部を含むことも可能である。図１８に示されるように、物品２００は、主要部分２０２及びサイドパネル２０４を含む。主要部分２０２は、サイドパネル領域の中に延びる突出部２０６を含む。情報画像２０８は、突出部２０６の少なくとも一部の上に配置される。主要部分２０２は複数の材料層を含んでもよく、突出部２０６はそれらの層の１以上を含んでもよい。例えば、主要部分２０２は、突出部２０６を形成するフィルム層を含んでもよい。図１９に示される代替実施形態では、物品２１０は、主要部分２１２及びサイドパネル２１４を含む。サイドパネル２１４は、主要部分２１２の横断方向区域の中に延びる突出部２１６を含み、情報画像２１８は、突出部２１６の少なくとも一部の上に配置される。サイドパネル２１４は複数の材料層を含んでも良く、突出部２１６はそれらの層の１以上を含んでもよい。
【００７６】
サイドパネルが一体であっても、又は別々のパネルの部分で形成されていても、画像がその上に付与されてもよいシームが形成され得る。シームは、材料を恒久的に接合するため、材料の隣接する縁部の少なくとも一部の上で、材料の隣接する縁部が互いに固着されたときに形成される。パネル部分の取付けは、パネル部分が、使用前及び使用中、接合された関係を維持することが意図されるという意味で恒久的である。しかしながら、パネル部分は、物品の除去及び／又は処理を容易にするため、脆いか、又は弱く接続させることも可能である。一体のサイドパネルを有する物品では、シームは、サイドパネルが前側及び後側腰部区域に接合するところに形成されてもよい。同様に、シームは、互いに接合される別々のサイドパネルの間に形成されてもよい。情報画像は、側部区域に形成された任意のシームの上に形成されてもよい。例えば、パネル部分は、接合されてシーム１３３を形成してもよく、画像は、情報品目１３４によって図１０に示されるように、シームに掛かってもよい。
【００７７】
図２０は、物品３０２のシームに掛かる情報画像３００を示す。物品３０２は、前側パネル部分３０６及び後側パネル部分３０８を包含するサイドパネル３０４を含む。前側及び後側パネル部分３０６、３０８は、結合などによって接合されて、シームを形成してもよいが、図２０は、接合される前のパネル部分を示す。情報画像３００は、サイドパネル３０４上に配置され、前側画像部分３１０及び後側画像部分３１２を含む。図示される実施形態では、前側画像部分３１０は背景図案３１４及び手の図案３１６を含み、後側画像部分は背景図案３１８を含む。互いに接合されると、前側パネル部分３０６の周辺区域は、後側パネル部分の周辺区域の上に重なる。この実施形態では、手の図案３１６は、完全に前側パネル部分３０６上に配置されるので、次に形成されるシームは画像を妨げない。手の図案３１６は、別の方法として、完全に後側パネル部分３０８上に位置付けられてもよく、又は、前側及び後側パネル部分３０６、３０８の両方の上に配置される部分を有してもよい。
【００７８】
図２１は、図２０に示されるものに類似するが、僅かに変更された情報画像３３０を示す。具体的には、情報画像３３０は、背景図案３３４及び手の図案３３６を包含する前側画像部分３３２と、背景図案３４０を包含する後側画像部分３３８とを含む。背景図案３３４、３４０は、前側パネル部分３０６及び後側パネル部分３０８の横方向縁部付近に、湾曲した、又は輪郭に沿った下側境界線３４２、３４４を包含する。画像部分３３２、３３４は、物品が平坦な形体で、サイドパネル部分３０６、３０８を接合する前に付与されてもよいので、画像部分３３２、３３４が正確に互いに揃わない可能性がある。湾曲した下側境界線３４２、３４４は、そのようなずれがあれば、それを容易に見えにくくし、それにより、サイドパネル部分の間の長手方向の追従に対する許容差をより大きくすることができる。
【００７９】
単一のアイコンではなく、画像は、側部区域１４、１６の１以上に複数又は一連のアイコンを含んでもよい。図１１に示されるように、例えば、各サイドパネルは、上側縁部から下側縁部まで延びる長手方向長さを有する、上側縁部及び下側縁部を画定する。情報画像１４０は、実質的にサイドパネルの長手方向長さにわたって延びる。代表的な実施形態では、情報画像１４０は、手のアイコン１４２の繰り返しパターンを含む。単一又は複数どちらのアイコンが提供されても、画像は、好ましくは、各物品上の実質的に同じ位置に配置されるように位置合わせされるが、特定の代替実施形態では、位置合わせされていない画像が適している。
【００８０】
情報画像１２０は、好ましくは物品の外部から見ることができ、従って、情報画像は、好ましくは、物品又はその要素の外側層又は衣類に面する層の上に配置される。ほとんどの場合、画像は、バックシートの外側表面など物品の外部の層、又は物品の外部の層に結合される補助層の上に配置される。別の方法として、情報画像は、内部の層上に配置されてもよく、１以上の透明又は半透明の外側層を通して見える。特定の代替実施形態では、画像は、内側表面上又は物品の内部から見える層上に印刷されることにより、物品の内部から見ることが可能である。それ故に、情報画像は、物品の外部のみから、外部及び内部の両方から、又は内部のみから見えるように配置されてもよい。
【００８１】
本開示の追加の態様によれば、プルオン着用可能な物品は、質感機構を組み込んだ情報画像を有して提供されてもよい。質感機構は、情報画像に十分に近接して位置付けられるので、質感機構は情報画像に関連付けられ、それによって複合画像を形成する。本明細書で使用するとき、用語「近接」は、一致する、部分的に一致する、隣接する、又は互いの付近にあることを包含する。
【００８２】
質感機構は、層、比較的平滑な又は粗い区域を形成する、反射率、色の強調、又は他の視覚効果を変化させるなどにより、固有の視覚的外観を画像に付与する。質感機構は、照明が暗い条件での、又は垂直から著しく偏位する視角での、画像の判読可能性を向上し得る。それに加えて、又は別の方法として、質感機構は、情報画像の少なくとも一部を強化してもよく、又は、情報画像の別の部分を形成してもよい。例えば、情報画像が掌などの手の画像の一部分を形成すると共に、質感機構が、指又は指腹などの手の画像の別の部分を形成してもよいので、情報画像と質感機構の組み合わせは複合画像を形成する。別の方法として、情報画像が完全な手の画像を形成すると共に、質感機構が、手の画像の一部分又は全体に付与されて、複合画像を形成してもよい。情報画像と質感機構の組み合わせは、延伸性のサイドパネルを有する、任意の既知のタイプのプルオン着用可能な物品上に、そのタイプに又はサイドパネルの作成方法に関わらず、且つ情報画像がある場合そのより判読可能な状態（即ち、拡張又は弛緩）に関わらず提供され得る。
【００８３】
代表的な一実施形態では、質感機構は、物品の外側表面に形成された局部的な突出部を含んでもよい。図１２は、情報画像を有する物品の一部の断面図を示す。この部分において、物品は、不織布材料の外側層１５０、不織布材料の内側層１５２、及び外側層１５０と内側層１５２との間に配置されたエラストマー要素１５４を含む。外側層１５０は、間に凹部１５８を画定する局部的な突出部１５６を有して形成される。突出部１５６は、エンボス加工、又は少なくとも外側層の一部を隆起させるプロセスによって、形成されてもよい。
【００８４】
代替実施形態では、質感機構は、物品の外側表面に形成された局部的な凹部を含んでもよい。図１３は、不織布材料の外側層１６０、不織布材料の内側層１６２、及び外側層１６０と内側層１６２との間に配置されたエラストマー要素１６４を有する物品の一部の断面図を示す。外側層１６０は、間に突出部１６８を画定する局部的な凹部１６６を有して形成される。凹部は、外側層１６０と内側層１６２又はエラストマー要素１６４のどちらかとの間に固着パターンを付与するなど、任意の既知の方式で形成されてもよい。固着パターンは、他の内側層の１つに対する外側層１６０の別個の位置を固定して、関連する凹部１６６を形成する。
【００８５】
更なる代表的な一実施形態では、質感機構は、材料の隣接する層によって形成されてもよい。図１４に示されるように、プルオン物品の一部は、不織布材料の外側層１７０、不織布材料の内側層１７２、及び外側層１７０と内側層１７２との間に配置されたエラストマー要素１７４を含む。外側層１７０は、スリット、溝、穴、又は他の規則的若しくは不規則な開口若しくは開口部１７６を有して形成されて、エラストマー要素１７４の部分を露出させる。それ故に、物品の外部表面は、少なくともこの位置において、外側層１７０とエラストマー層１７４の露出部分との両方によって形成されることが理解されるであろう。外側層１７０は、変化する外部表面の外観を作るのに十分な厚さを有する。
【００８６】
本明細書に開示される質感機構の代表的な実施形態では、特定の層及び材料のタイプを特定したが、他の組み合わせ及び材料層のタイプが使用されてもよいことが理解されるであろう。更に、質感機構を形成する特定のプロセスが提案されるが、機構を形成する任意のタイプの既知のプロセスが使用されてもよい。質感機構は、好ましくは、機械的処理（エンボス加工、リングロール、結合、スコアリング、穿孔、又はスリット付けなど）によって形成されるが、レーザー、熱空気、化学的、又は他のプロセスなど、機械的ではない処理によって形成されてもよい。
【００８７】
機械的処理はそれぞれ、特定のタイプの質感効果をもたらしてもよい。エンボス加工は、高温又は低温のどちらで、平滑な又は模様付きロールのどちらを用いて実行されてもよく、突出部、凹部、比較的平滑な領域、圧縮領域（及び関連する圧縮抵抗）、又はそれらの組み合わせによって行ってもよい。リングロールは、開口部、突出部、凹部、又はそれらの組み合わせに帰することも可能である。「複数区域の構造的に弾性様のフィルムウェブの延伸性腰部機構を備えた吸収性物品（Absorbent Article with Multiple Zone Structural Elastic-Like Film Web Extensible Waist Feature）」という名称の米国特許第５，５５４，１４３号（ロー（Roe）ら、１９９６年９月１０日発行）、及び「弾性様挙動を示すウェブ材料（Web Materials Exhibiting Elastic-Like Behavior）」という名称の米国特許第５，５１８，８０１号（シャペル（Chappell）ら、１９９６年５月２１日発行）に開示されているような、構造的に弾性様のフィルム（ＳＥＬＦ）を形成する方法が用いられてもよく、突出部、凹部、又はそれらの組み合わせに帰することが可能である。スコアリングは、比較的粗い又は曖昧な領域などの表面モルホロジーをもたらしてもよい。穿孔は、三次元の突出部によって少なくとも部分的に取り囲まれた開口部をもたらしてもよい。
【００８８】
質感効果は、更に、エラストマー層の影響を受けるか、少なくとも部分的にエラストマー層によって形成されてもよい。例えば、「赤色の印に対する改善された保護を有する使い捨てパンツタイプおむつ（Disposable Pant-Type Diaper Having Improved Protection Against Red Marking）」という名称の米国特許公開公報ＵＳ２００３／０１２０２４０号（ブエル（Buell）ら、２００３年６月２６日発行）に開示されている真空形成されたエラストマーなど、不連続表面を有するエラストマー要素が提供され、それに対して外側カバーが少なくとも部分的に一致して層化された外側表面を形成してもよい。
【００８９】
更にまた、質感機構は、物品の別個の区域を局部的に収縮させることによって形成されてもよい。これは、機械プロセスによって、又は熱収縮などの別のプロセスによって達成されてもよい。
【００９０】
上述した図示された実施形態は、物品を把持し引っ張る場所を伝達するものとして情報画像を記載しているが、画像は、任意の指示の、情報の、又は他のメッセージをユーザに伝達する、認知上機能的な図案を含んでもよいことが理解されるであろう。物品を引っ張って上げ下げするのを支援することに加えて、又はその代わりに、情報画像は、再締結可能なサイドパネルの開閉、処理中の使用済みおむつの折り畳み及び／又は取り扱い、或いは他の指示に関する情報を伝達してもよい。情報画像は、更に、性別の適性、トイレトレーニングに対する適切性、又は他のトレーニングに特有の情報（例えば、湿りを感じるライナーの組み込みを示す）などの、物品の特性又は性質を伝達してもよい。更にまた、情報画像は、（物品のサイズの変更を伝達することにより）成長などのユーザに関する情報を伝達してもよい。認知上機能的な図案を包含する情報画像は、情報画像があればそれがより見やすいサイドパネルの状態（即ち、拡張又は弛緩）に関わらず、延伸性のサイドパネルを有する任意の既知のタイプのプルオン着用可能な物品上に提供されてもよい。
【００９１】
「発明を実施するための最良の形態」で引用したすべての文献は、関連部分において本明細書に参考として組み込まれるが、いずれの文献の引用も、それが本発明に関して先行技術であることを容認するものとして解釈されるべきではない。本書における用語のいずれかの定義又は意味が、参考として組み込まれた文献におけるその用語のいずれかの定義又は意味と相反する限り、本書においてその用語に与えられた定義又は意味が付与されるものとする。
【００９２】
本発明の特定の実施形態を説明及び記述してきたが、本発明の精神及び範囲から逸脱することなく他の様々な変更及び修正を行えることが当業者には明白であろう。従って、本発明の範囲内にあるそのような全ての変更及び修正を、添付の特許請求の範囲で扱うものとする。
【図面の簡単な説明】
【００９３】
【図１】本開示によるプルオン着用可能な物品の斜視図。
【図２】解放可能な締結具を有するプルオン着用可能な物品の代替実施形態の斜視図。
【図３】締結具が解放された図２の物品の斜視図。
【図４】解放可能な締結具を有するプルオン着用可能な物品の代替実施形態の斜視図。
【図５】締結具が解放された図４の物品の斜視図。
【図６】平坦に広げられ開いた形体の図１のプルオン着用可能な物品の平面図。
【図７】情報画像がその上に配置された補助層を有するプルオン物品の代替実施形態の斜視図。
【図８】代替の情報画像位置を示す、図１のものに類似したプルオン物品の斜視図。
【図９】代替の情報画像位置を示す、図１のものに類似したプルオン物品の斜視図。
【図１０】代替の情報画像位置を示す、図１のものに類似したプルオン物品の斜視図。
【図１１】複数のアイコンを含む別の情報画像を示す、図１のものに類似したプルオン物品の斜視図。
【図１２】外部表面上に質感機構を有する物品の側面断面図。
【図１３】外部表面上に質感機構の代替実施形態を有する物品の側面断面図。
【図１４】外部表面上に質感機構の代替実施形態を有する物品の側面断面図。
【図１５Ａ】弛緩状態の、ゼロ歪積層体に付与された情報画像の平面図。
【図１５Ｂ】拡張状態の、ゼロ歪積層体に付与された情報画像の平面図。
【図１６Ａ】弛緩状態の、エラストマーフィルムに付与された情報画像の平面図。
【図１６Ｂ】拡張状態の、エラストマーフィルムに付与された情報画像の平面図。
【図１７Ａ】弛緩状態の、予備伸張された積層体に付与された情報画像の平面図。
【図１７Ｂ】拡張状態の、予備伸張された積層体に付与された情報画像の平面図。
【図１８】情報画像がその上に配置された突出部を備えた主要部分を有する物品の一部の拡大平面図。
【図１９】情報画像がその上に配置された突出部を備えたサイドパネルを有する物品の一部の拡大平面図。
【図２０】サイドパネルのシームに掛かる情報画像を有する物品の一部の拡大平面図。
【図２１】サイドパネルのシームに掛かる代替の情報画像の拡大平面図。
【図１】
2008531240.tif 000003
【図２】
2008531240.tif 000004
【図３】
2008531240.tif 000005
【図４】
2008531240.tif 000006
【図５】
2008531240.tif 000007
【図６】
2008531240.tif 000008
【図７】
2008531240.tif 000009
【図８】
2008531240.tif 000010
【図９】
2008531240.tif 000011
【図１０】
2008531240.tif 000012
【図１１】
2008531240.tif 000013
【図１２】
2008531240.tif 000014
【図１３】
2008531240.tif 000015
【図１４】
2008531240.tif 000016
【図１５Ａ】
2008531240.tif 000017
【図１５Ｂ】
2008531240.tif 000018
【図１６Ａ】
2008531240.tif 000019
【図１６Ｂ】
2008531240.tif 000020
【図１７Ａ】
2008531240.tif 000021
【図１７Ｂ】
2008531240.tif 000022
【図１８】
2008531240.tif 000023
【図１９】
2008531240.tif 000024
【図２０】
2008531240.tif 000025
【図２１】
2008531240.tif 000026
【国際調査報告】
2008531240.tif 000027
2008531240.tif 000028
2008531240.tif 000029